(57)【要約】【課題】高い耐久性を有し、定期的なメンテナンスを無くすことのできる防風パネルを提供する。【解決手段】  本発明に係る防風パネル４は、モルタルに高張力繊維を混合したモルタル材料を型枠に打設して硬化させることで製造されるものである。そして、この防風パネル４は、複数の通風孔１１が所定の遮蔽率となるように設けられた横長矩形状の有孔板部１２と、有孔板部１２の各長辺に沿って立設されたリブ１３（１３Ｕ，１３Ｄ）を有することを特徴としている。【選択図】図３
2013256850.tif 000002
【特許請求の範囲】
【請求項１】
モルタルに高張力繊維を混合したモルタル材料を硬化させることで製造され、
複数の通風孔が所定の遮蔽率となるように設けられた横長矩形状の有孔板部と、
前記有孔板部の各長辺に沿って立設されたリブとを有することを特徴とする防風パネル。
【請求項２】
前記通風孔は円形であり、千鳥状に配置されていることを特徴とする請求項１に記載の防風パネル。
【請求項３】
複数の前記通風孔は、前記有孔板部の厚み方向に対して斜めに設けられていることを特徴とする請求項１又は２に記載の防風パネル。
【請求項４】
複数の前記通風孔は、前記有孔板部の厚み方向に対してテーパー状に設けられていることを特徴とする請求項１又は２に記載の防風パネル。
【請求項５】
請求項１から４の何れか１項に記載の防風パネルと、
上下方向に積み重ねられた前記防風パネルの長手方向端部を支持する支柱とを有することを特徴とする防風柵。
【請求項６】
複数の通風孔が所定の遮蔽率となるように設けられた横長矩形状の有孔板部、及び、前記有孔板部の各長辺に沿って立設されたリブを有する防風パネルを、型枠にモルタル材料を充填して硬化させることで製造する製造方法であって、
前記型枠は、
前記有孔板部に対応する横長矩形状の主空間部と、
前記主空間部に配置され、前記通風孔に対応する複数の突起部と、
前記主空間部における各長辺部分と連続して設けられ、前記リブに対応する副空間部とを有し、
前記主空間部の短辺が上下方向となるように設置され、
前記モルタル材料は、モルタルに高張力繊維を混合したものであり、
前記モルタル材料を、前記型枠の上部から前記主空間部及び前記副空間部へ打設することを特徴とする防風パネルの製造方法。
【請求項７】
前記突起部は円柱状であって千鳥状に配置され、
隣り合う突起部同士の間隔が前記高張力繊維の長さよりも広いことを特徴とする請求項６に記載の防風パネルの製造方法。
【請求項８】
前記主空間部の厚みが前記高張力繊維の長さに揃えられていることを特徴とする請求項６又は７に記載の防風パネルの製造方法。
【発明の詳細な説明】
【技術分野】
【０００１】
本発明は、防風パネル、この防風パネルを有する防風柵、及び、防風パネルの製造方法に関する。
【背景技術】
【０００２】
防風柵は、橋梁、鉄道、道路などの強風対策に用いられている。このような防風柵としては、鋼製のものが一般的であった。例えば、特許文献１には、菱形形状の開口を設けた鋼製の防風パネルが記載されている。また、鋼製の防風パネルの他、ＦＲＰ製の防風パネルも用いられている。
【先行技術文献】
【特許文献】
【０００３】
【特許文献１】特開平７−８２７１０号公報
【発明の概要】
【発明が解決しようとする課題】
【０００４】
前述の防風柵は、長期間に亘って屋外に設置される。このため、鋼製の防風パネルでは腐食が生じ、定期的な塗装や交換といった定期的なメンテナンスが必要となる。とりわけ、海岸沿いに設置された防風柵では、塩分を含んだ強風に曝されることから、塩分の付着に伴って防風パネルの腐食が促進される。その結果、メンテナンス期間を短くする必要がある。
【０００５】
また、ＦＲＰ製の防風パネルでは、塩分の付着に伴う腐食は生じないが、紫外線による劣化が生じる。このため、定期的な交換が必要となる。また、ＦＲＰ製の防風パネルは高価であり、コスト高となる。
【０００６】
本発明はこのような事情に鑑みてなされたものであり、その目的は、高い耐久性を有し、定期的なメンテナンスを無くすことのできる防風パネル及び防風柵を提供すること、及び、この防風パネルを効率よく製造可能な製造方法を提供することにある。
【課題を解決するための手段】
【０００７】
前述の目的を達成するため、本発明に係る防風パネルは、モルタルに高張力繊維を混合したモルタル材料を硬化させることで製造され、複数の通風孔が所定の遮蔽率となるように設けられた横長矩形状の有孔板部と、前記有孔板部の各長辺に沿って立設されたリブとを有することを特徴とする。
【０００８】
本発明では、通風孔を有する有孔板部及び有孔板の長辺に沿って立設されたリブが、モルタルに高張力繊維を混合したモルタル材料の硬化体によって構成されるので、高い耐久性を有し、定期的なメンテナンスを無くすことのできる防風パネルを提供することができる。
【０００９】
前述の防風パネルにおいて、前記通風孔は円形であり、千鳥状に配置されていることが好ましい。この構成では、通風孔同士の間隔を均等にすることができ、全体の強度を高めることができる。
【００１０】
前述の防風パネルにおいて、複数の前記通風孔は、前記有孔板部の厚み方向に対して斜めに設けられていることが好ましい。この構成では、通風孔を通過させることで風の進行方向を変更できる。これにより、通過後の風同士を衝突させるなどして弱めることができる。その結果、風速の低減効果を高めることができる。
【００１１】
前述の防風パネルにおいて、複数の前記通風孔は、前記有孔板部の厚み方向に対してテーパー状に設けられていることが好ましい。この構成では、通風孔を通過させることで渦流を生じさせ易くすることができる。これにより、通過後の風を弱めることができ、風速の低減効果を高めることができる。
【００１２】
また、本発明に係る防風柵は、前述の防風パネルと、上下方向に積み重ねられた前記防風パネルの長手方向端部を支持する支柱とを有することを特徴とする。
【００１３】
また、本発明は、複数の通風孔が所定の遮蔽率となるように設けられた横長矩形状の有孔板部、及び、前記有孔板部の各長辺に沿って立設されたリブを有する防風パネルを、型枠にモルタル材料を充填して硬化させることで製造する製造方法であって、前記型枠は、前記有孔板部に対応する横長矩形状の主空間部と、前記主空間部に配置され、前記通風孔に対応する複数の突起部と、前記主空間部における各長辺部分と連続して設けられ、前記リブに対応する副空間部とを有し、前記主空間部の短辺が上下方向となるように設置され、前記モルタル材料は、モルタルに高張力繊維を混合したものであり、前記モルタル材料を、前記型枠の上部から前記主空間部及び前記副空間部へ打設することを特徴とする。
【００１４】
本発明では、有孔板部に対応する主空間部が上下方向に区画されているので、型枠の上部からモルタル材料を打設すると、モルタル材料は自重によって主空間部を流下し、主空間部と副空間部を満たす。このため、モルタル材料の充填が容易である。また、充填後の仕上げを、上側の副空間部における上面に対して行えば足りるので、仕上げ作業も容易である。従って、防風パネルを効率よく製造することができる。
【００１５】
前述の製造方法において、前記突起部は円柱状であって千鳥状に配置され、隣り合う突起部同士の間隔が前記高張力繊維の長さよりも広いことが好ましい。この方法では、モルタルと高張力繊維とが打設時に分離し難くなり、高張力繊維が全体に分散された防風パネルを製造することができる。
【００１６】
前述の製造方法において、前記主空間部の厚みが前記高張力繊維の長さに揃えられていることが好ましい。この方法では、モルタルと高張力繊維とが打設時に分離し難くなり、高張力繊維が全体に分散された防風パネルを製造することができる。
【発明の効果】
【００１７】
本発明によれば、高い耐久性を有し、定期的なメンテナンスを無くすことのできる防風パネル及び防風柵を提供すること、及び、この防風パネルを効率よく製造可能な製造方法を提供することができる。
【図面の簡単な説明】
【００１８】
【図１】本実施形態の防風柵を示す斜視図である。
【図２】防風パネルの正面図である。
【図３】（ａ）は防風パネルの一部を切断して示す拡大図、（ｂ）は防風パネルの右側面図、（ｃ）は防風パネル隅部の拡大図である。
【図４】（ａ）は平打ち用型枠の一部を切断して示す拡大図、（ｂ）はモルタル材料の打設状態を説明する図である。
【図５】（ａ）は縦打ち用型枠の一部を切断して示す拡大図、（ｂ）は同じく平面図である。
【図６】縦打ち用型枠の断面図である。
【図７】型枠上部からモルタル材料を打設し始めた状態を説明する図である。
【図８】（ａ），（ｂ）は、型枠の上端までモルタル材料を充填した状態を説明する図である。
【図９】（ａ）は風速低減効果を確認する確認試験の設備を説明する図、（ｂ）は風上側凸の状態を説明する図、（ｃ）は風下側凸の状態を説明する図である。
【図１０】試験結果を示すグラフであり、（ａ）は一様流、風上側凸の結果、（ｂ）は一様流、風下側凸の結果、（ｃ）は乱流、風上側凸の結果、（ｄ）は乱流、風下側凸の結果である。
【図１１】防風パネルに対する載荷試験を説明する図である。
【図１２】載荷試験の結果を示すグラフである。
【図１３】（ａ），（ｂ）は防風パネルの変形例を説明する図である。
【図１４】（ａ），（ｂ）は防風パネルの他の変形例を説明する図である。
【発明を実施するための形態】
【００１９】
以下、本発明の実施形態について説明する。図１に示す防風柵１は、線路や道路の側方に、線路等に沿って設置されるものであり、基礎部２と、支柱３と、防風パネル４とを有する。
【００２０】
基礎部２は、支柱３や防風パネル４を支える部分である。本実施形態の基礎部２は、地中に埋設された鋼管杭によって構成されている。なお、基礎部２は鋼管杭に限られない。例えば、深礎杭や直接基礎であってもよい。支柱３は、上下方向に積み重ねられた防風パネル４の長手方向端部を支持する部材である。本実施形態の支柱３は、Ｈ型鋼材によって作製され、左右方向に所定間隔を空けた状態で配置されている。そして、支柱３の下端は、基礎部２（鋼管杭）の上端部に挿入及び固定されている。なお、支柱３に関し、鋼材以外の素材で作製されたものであってもよい。例えば、高張力繊維含有モルタル材料で作製されたものであってもよい。
【００２１】
防風パネル４は、風を受ける面に通風孔１１が形成された部材であり、モルタルに高張力繊維を混合したモルタル材料（後述する）を硬化させることで製造されている。この防風パネル４は、支柱３に支持された状態で、基礎部２の上面に上下方向へ積み重ねられた状態で配置されている。
【００２２】
以下、防風パネル４について詳細に説明する。図２に示すように、防風パネル４は、正面側から見て横長矩形状に構成されており、長辺側を水平方向に、短辺側を上下方向に向けた状態で設置される。また、図３（ｂ）に示すように、防風パネル４は、側面から見てコ字状に構成されている。すなわち、この防風パネル４は、横長矩形状の板状部分であって、板厚方向に通風孔１１が設けられた有孔板部１２と、この有孔板部１２の長辺側の縁部に沿って立設された一対のリブ１３（１３Ｕ，１３Ｄ）とを有している。便宜上、以下の説明では、設置状態で上側に位置するリブ１３を上側リブ１３Ｕといい、下側に位置するリブ１３を下側リブ１３Ｄという。
【００２３】
そして、図２に示すように、本実施形態の防風パネル４は、長辺側の長さＬ１が３０００ｍｍ、短辺側の長さＬ２が３００ｍｍである。また、図３（ｂ）に示すように、有孔板部１２の厚さＤ１が１２ｍｍ、上側リブ１３Ｕ及び下側リブ１３Ｄの突出長さＬ３が９０ｍｍ、各リブ１３Ｕ，１３Ｄの厚さＤ２が２０ｍｍである。なお、有孔板部１２の厚さＤ１は、高張力繊維の長さ（１２．５±０．５ｍｍ）を基準に定められている。すなわち、高張力繊維の長さに揃えられている。
【００２４】
有孔板部１２に設けられる通風孔１１は、板厚方向を貫通する円形の孔であり、各通風孔１１が千鳥状に配置されている。本実施形態では、広範囲に亘って減風効果が得られるという知見に基づき、遮蔽率が６０％となるように通風孔１１を設けている。
【００２５】
具体的には、図３（ａ），（ｃ）に示すように、直径５０ｍｍの通風孔１１を、防風パネル４の長辺方向に沿って所定間隔Ｐ１である２０ｍｍ間隔で設け、１列目の通風孔群とする。そして、２列目の通風孔群は、１列目の通風孔群とは１／２ピッチだけ防風パネル４の長辺方向にずれた位置であって、１列目の各通風孔１１との最短間隔Ｐ２が他の所定間である１２ｍｍとなるように防風パネル４の短辺方向にずれた位置に設けられている。また、３列目及び４列目の通風孔群も、１列目及び２列目の通風孔群と同様の関係となるように設けられている。
【００２６】
なお、本実施形態の有孔板部１２では、所定の遮蔽率（６０％）を確保しつつもモルタル材料の分離を生じさせずに充填するため、通風孔同士の最短間隔Ｐ２を１２ｍｍとし、通風孔１１の直径を５０ｍｍにしている。
【００２７】
この防風パネル４は、モルタル材料を型枠に打設して硬化させることで製造することができる。ここで、モルタル材料について説明する。モルタル材料は、モルタルに高張力繊維を混合したもの（すなわち高張力繊維含有モルタル材料）である。そして、モルタルは、セメントと、シリカフュームと、水と、減水剤と、細骨材とを含んでいる。
【００２８】
ここで、セメントは、Ｃ３Ｓを４０．０〜７５．０質量％及びＣ３Ａを２．７質量％未満含み、かつ、４５μｍふるい残分が８．０質量％未満のものを用いている。また、細骨材は、粒径０．１５ｍｍ以下の粒群を１５〜８５質量％含み、０．０７５ｍｍ以下の粒群を３〜２０質量％含むものを用いている。
【００２９】
シリカフュームは、平均粒子径が０．０５〜２．０μｍのものを用い、セメントとの合計量を基準として、３〜３０質量％含ませている。そして、セメント及びシリカフュームの合計量１００質量部に対して、水を１０〜２５質量部、減水剤を０．５〜６．０質量部含ませている。
【００３０】
高張力繊維としては、引張強度が１００〜１００００Ｎ／ｍｍ２、アスペクト比が４０〜２５０の金属繊維、炭素繊維、アラミド繊維、ポリプロピレン繊維、及びポリビニルアルコール繊維を用いることができる。本実施形態では、長さ１２．５±０．５ｍｍのポリプロピレン繊維をモルタルに対し、外割りで０．３〜４．０体積％混合している。
【００３１】
また、減水剤及び細骨材は、モルタルの作製に一般的に用いられているものを用いることができる。
【００３２】
このようなモルタル材料としては、例えば株式会社大林組製の商品名「スリムクリート」（登録商標）を用いることができる。そして、このモルタル材料を、スランプフローが所定値（例えば８００ｍｍ）となるように練り混ぜ、型枠に打設して硬化させる。これにより、圧縮強度１８０Ｎ／ｍｍ２程度、引っ張り強度８Ｎ／ｍｍ２程度の高い強度を有する防風パネル４を製造できる。
【００３３】
モルタル材料の打設には、例えば図４に示す平打ち用の型枠２１や図５に示す縦打ち用の型枠２２を用いることができる。図４（ａ）に一部を示すように、平打ち用の型枠２１は、有底枠体２１ａと突起部２１ｂとを有している。有底枠体２１ａは、上面開放の枠状部材であって、断面視で略コ字状の空間が形成されている。突起部２１ｂは、枠体２１ａの内側に立設された円柱状部分であり、通風孔１１に対応して設けられている。図４（ｂ）に示すように、この型枠２１内にフレッシュ状態のモルタル材料ＦＭを打設し、上面を均した状態で硬化させると、有孔板部１２と各リブ１３Ｕ，１３Ｄとが一体化された防風パネル４を製造することができる。
【００３４】
図５（ａ），（ｂ）に示すように、縦打ち用の型枠２２は、主空間部２２Ａと副空間部２２Ｂとを区画する型枠本体２２ａを有している。主空間部２２Ａは、有孔板部１２に対応する横長矩形状の空間であり、その内部には通風孔１１を形成するための複数の突起部２２ｂが設けられている。副空間部２２Ｂは、上側リブ１３Ｕ及び下側リブ１３Ｄに対応する横長矩形状の空間であり、主空間部２２Ａにおける各長辺部分と連続して設けられている。図６に示すように、主空間部２２Ａ及び各副空間部２２Ｂは断面視でコ字状につながっている。そして、上側の副空間部２２Ｂにおける上面が開放されている。また、主空間部２２Ａ及び各副空間部２２Ｂにおける他の面は、型枠によって区画されている。
【００３５】
縦打ち用の型枠２２を用いて防風パネル４を作製する場合には、例えば図７に示すように、上側の副空間部２２Ｂからフレッシュ状態のモルタル材料ＦＭを打設する。前述したようにモルタル材料ＦＭにはポリプロピレン繊維（高張力繊維）が混入されているが、突起部２２ｂ同士の間隔（通風孔同士の最短間隔Ｐ２）及び主空間部２２Ａの厚さ（有孔板部１２の厚さＤ１）がポリプロピレン繊維の長さに揃えられていることから、ポリプロピレン繊維は主空間部２２Ａ及び副空間部２２Ｂを円滑に流下して全体に拡がることができる。
【００３６】
このことを確認すべく、本発明者等は、突起部２２ｂ同士（通風孔１１同士）の間隔を２０ｍｍ、及び、主空間部２２Ａの厚さ（突起部２２ｂの高さ）を１２ｍｍとした縦打ち用の型枠を作製し、長さ２０ｍｍのポリプロピレン繊維を混入したモルタル材料（フロー値：３０５ｍｍ×３００ｍｍ）を用いて充填性の確認試験を行った。
【００３７】
ここで、突起部２２ｂ同士の間隔を２０ｍｍ、ポリプロピレン繊維の長さを２０ｍｍとして試験を行った理由は、先に述べた実施形態の仕様（突起部２２ｂ同士の間隔１２ｍｍ、ポリプロピレン繊維の長さ１２ｍｍ、主空間部２２Ａの厚さ１２ｍｍ）よりも繊維同士を絡みやすくするためである。すなわち、実施形態よりも厳しい試験条件で良好な充填性が確認されれば、実施形態でも良好な充填性が得られると考えたからである。そして、硬化後の防風パネル４を目視で確認したところ、前述の試験条件であってもポリプロピレン繊維同士は絡みつかず、充填性が良好であることが確認された。
【００３８】
そして、図８に示すように、モルタル材料が主空間部２２Ａ及び副空間部２２Ｂの全体に充填されたならばコテ仕上げが行われる。前述の型枠２２では、上側の副空間部２２Ｂにおける上面以外の部分は型枠で区画されているので、コテ仕上げの作業を露出部分のモルタル材料ＦＭに対して行えば足りる。従って、仕上げ作業の対象面積を少なくすることができ、防風パネル４を効率よく製造することができる。
【００３９】
次に、前述の防風パネル４による風速低減効果について説明する。本実施形態の防風パネル４では通風孔１１の孔径が５０ｍｍであった。これに対し、鋼鉄製の防風パネルの市販品では通風孔１１の孔径は最大で２０ｍｍであった。このように、本実施形態の防風パネル４の通風孔１１は、市販品のものよりも２．５倍も大きい。そこで、このように大きな通風孔１１であっても、十分な風速低減効果が得られることを確認すべく確認試験を行った。
【００４０】
図９（ａ）は、確認試験の設備を示す斜視図である。この確認試験では、防風パネル４を模擬した樹脂製の模型３１を風洞内に設置し、風速計によって模型３１の上流側と下流側の風速を計測して、風速の低減効果を確認した。模型３１の設置は、風洞内に設置された模型固定架台３２を用いた。具体的には、風向と平行に設置された一対の取付け架台端板３２ａの間に、風向と直交する方向に向けた防風パネルの模型３１を、上下方向に複数個積み重ねた。
【００４１】
この確認試験では、５５ｍｍの通風孔を有する本実施形態の模型３１と、２０ｍｍの通風孔を有する比較例の模型３１とを用いた。なお、何れの模型３１も遮蔽率は６０％に定めた。また、本実施形態の模型３１では通風孔の直径が５５ｍｍであり、前述した通風孔１１の孔径（５０ｍｍ）よりも大きい。これは、より大きな通風孔の模型３１で風速低減効果が確認できれば、本実施形態の防風パネル４でもそれ以上の防風効果が得られると考えたためである。
【００４２】
そして、模型３１の設置位置における風速を１０，２０，３０ｍ／ｓに定め、模型上流５００ｍｍの位置Ｘ１における平均風速を計測した。同様に、模型下流５００ｍｍ（−５００ｍｍ）の位置Ｘ２から順に５００ｍｍ間隔で、模型下流３０００ｍｍ（−３０００ｍｍ）の位置まで下流側の平均風速を測定した。なお、図９では、模型下流１５００ｍｍ（−１５００ｍｍ）の位置Ｘ４までが描かれている。
【００４３】
確認試験で使用する気流に関し、２種類の気流（一様流，乱流）を対象にした。また、模型３１の設置状態に関し、図９（ｂ）に示す風上側凸の状態と、図９（ｃ）に示す風下側凸の状態のそれぞれを対象にした。
【００４４】
図１０（ａ）〜（ｄ）に確認試験の結果（グラフ）を示す。これらの図において、横軸は防風柵１（模型３１）からの距離を示している。すなわち、模型３１の設置位置を０ｍｍとし、風向きの上流側の位置をプラスの数値で、下流側の位置をマイナスの数値でそれぞれ示している。一方、縦軸は、風速比を示している。風速比は、模型上流５００ｍｍの位置における平均風速を基準（分母）とし、各測定位置の平均風速を分子とする比率である。
【００４５】
また、記号四角は風速１０ｍ／ｓでの試験結果を、記号丸は風速２０ｍ／ｓでの試験結果を、記号三角は風速３０ｍ／ｓでの試験結果をそれぞれ示している。さらに、白抜きの記号は孔径５５ｍｍの模型３１での試験結果を示し、黒塗りの記号は孔径２０ｍｍの模型３１での試験結果を示している。
【００４６】
まず、一様流の試験結果について検討する。図１０（ａ）に示すように、風上側凸のケースでは、−５００ｍｍの位置及び−１０００ｍｍの位置において、孔径５５ｍｍの模型３１は、孔径２０ｍｍの模型３１よりも風速低減効果が低いという結果になった。しかし、両者の差は模型３１からの距離が離れるほど小さくなっており、−１５００ｍｍの位置において両者の風速低減効果は同レベルであった。さらに距離が離れると、孔径５５ｍｍの模型３１の方が高い風速低減効果を示した。
【００４７】
次に、風下側凸のケースについて検討すると、図１０（ｂ）に示すように、孔径５５ｍｍの模型３１は、孔径２０ｍｍの模型３１よりも多少風速低減効果が低いという結果になったが、両者にそれほど大きな違いは見られなかった。このため、風下側凸のケースに関しては、孔径５５ｍｍの模型３１は、孔径２０ｍｍの模型３１と同程度の風速低減効果が得られることが確認された。
【００４８】
次に、乱流（乱れ強さ１５〜２０％）のケースについて検討する。図１０（ｃ），（ｄ）に示すように、乱流に対する風速低減効果については、風速やパネルの配置方向に拘わらず、孔径５５ｍｍの模型３１と孔径２０ｍｍの模型３１とでほぼ同レベルであることが確認された。
【００４９】
以上を総括すると、一様流の風上側凸の試験結果において、模型３１から風下側に１０００ｍｍまでの範囲で孔径５５ｍｍの模型３１は、孔径２０ｍｍの模型３１よりも多少風速低減効果が低かったが、実用上問題ないレベルと考えられた。また、その他の条件において、孔径５５ｍｍの模型３１は、孔径２０ｍｍの模型３１と同等の風速低減効果を示した。この結果より、孔径を５０ｍｍとした本実施形態の防風パネル４は、孔径２０ｍｍの市販の防風パネル４と置き換えても同等の風速低減効果を発揮すると推定された。
【００５０】
次に、前述の防風パネル４による力学的性能の確認試験について説明する。ここでは、載荷試験を行い防風パネル４の曲げ耐力を確認した。この載荷試験は、図１１に示す載荷試験装置４１によって行った。図１１に示すように、この確認試験では、両端単純支持とするとともに２点で載荷した。また、分布荷重が作用した際の最大曲げモーメントとせん断力の関係に等しくなるよう、載荷位置を定めた。さらに、防風パネル４は２体用意し、一方は表側から載荷し、他方は裏側から載荷した。
【００５１】
試験結果を図１２に示す。図１２における横軸は中央変位、すなわち載荷対象となった防風パネル４における長手方向中央部分の変位量を示している。そして縦軸は、防風パネル４に加えられた荷重を示している。また、同図における実線は防風パネル４の表面に対する試験結果を示し、点線は裏面に対する試験結果を示す。
【００５２】
この試験では、載荷重量１．２ｋＮにてひび割れが見られなければ、防風パネル４を両端で固定したとき、風速４０〜５０ｍ／ｓの極めて強い風であっても耐えることができると解される。そして、防風パネル４に入ったひび割れの数が増えると、載荷重量に対する中央変位量が増える傾向（右方向に寝る傾向）が見られる。また、大きなひび割れが入ると、載荷重量が局所的に落ち込んでしまう。
【００５３】
そして、防風パネル４の表面側から載荷重を与えた場合（実線の場合）、載荷重量で２ｋＮに達するまでは、載荷重量の大きな落ち込みもなく十分な耐力を有していることが確認できた。その後、載荷重量の大きな落ち込みが生じていることから大きなひび割れが発生したと解される。さらに、グラフが右方向へ寝てきているので、ひび割れの数が増えていることが伺える。
【００５４】
また、防風パネル４の裏面から載荷重を与えた場合（点線の場合）、載荷重量で１．４ｋＮに達するまでは、載荷重量の大きな落ち込みもなく十分な耐力を有していることが確認できた。その後、グラフが次第に右方向へ寝てきているので、ひび割れの数が増えていることが伺える。また、載荷重量が２ｋＮに達した後に、大きな落ち込みが生じているので、その時点で大きなひび割れが発生したと解される。
【００５５】
このように、本実施形態の防風パネル４では、載荷重量１．２ｋＮにおいてひび割れ等の傾向が見られなかったことから、風速４０〜５０ｍ／ｓの極めて強い風であっても十分な耐力を有していると解される。言い換えれば、設計荷重を与えてもひび割れが生じない十分な曲げ耐力を有しているといえる。
【００５６】
従って、既存の金属製パネルを、本実施形態のモルタル材料を用いた防風パネル４に置き換えることで、高い耐久性を有し、定期的なメンテナンスを無くすことのできる防風パネル４を提供することができるといえる。そして、この防風パネル４では、通風孔１１が円形状に形成され、千鳥状に配置されているので、通風孔１１同士の間隔を均等にすることができ、全体の強度を高めることができる。
【００５７】
また、防風パネル４を製造するに際し、本実施形態では、有孔板部１２に対応する横長矩形状の主空間部２２Ａと、この主空間部２２Ａに配置され、通風孔１１に対応する複数の突起部２２ｂと、主空間部２２Ａにおける各長辺部分と連続して設けられ、上側リブ１３Ｕ及び下側リブ１３Ｄに対応する一対の副空間部２２Ｂとを有する縦打ち用の型枠２２を用いている。すなわち、主空間部２２Ａの短辺が上下方向となるように型枠２２を設置し、フレッシュ状態のモルタル材料ＦＭを、型枠の上部から主空間部２２Ａ及び各副空間部２２Ｂへ打設している。
【００５８】
この型枠２２は、有孔板部１２に対応する主空間部２２Ａが上下方向に設けられているので、型枠２２の上部からモルタル材料ＦＭを打設すると、モルタル材料ＦＭは自重によって主空間部２２Ａを流下し、主空間部２２Ａ及び副空間部２２Ｂを満たす。これにより、モルタル材料の充填が容易になる。また、充填されたモルタル材料ＦＭに対する仕上げに関し、上側の副空間部２２Ｂにおける上面で露出している部分に対して行えば足りるため、作業が容易である。従って、防風パネル４を効率よく製造することができる。
【００５９】
さらに、通風孔１１を形成するための突起部２２ｂは、円柱状であって千鳥状に配置されており、隣り合う突起部２２ｂ同士の間隔がポリプロピレン繊維の長さと同じかそれ以上になっている。このため、ポリプロピレン繊維が突起部２２ｂ同士の空間で目詰まりし難くなり（モルタルと分離し難くなり）、防風パネル４の全体に分散させることができる。同様に、主空間部２２Ａの厚みがポリプロピレン繊維の長さに揃えられているので、ポリプロピレン繊維が途中で目詰まりし難くなり、防風パネル４の全体に分散させることができる。
【００６０】
以上の実施形態の説明は、本発明の理解を容易にするためのものであり、本発明を限定するものではない。本発明はその趣旨を逸脱することなく、変更、改良され得ると共に本発明にはその等価物が含まれる。例えば、次のように構成してもよい。
【００６１】
前述の防風パネル４において、通風孔１１は有孔板部１２の厚み方向に設けられていたが、この構成に限定されるものではない。例えば、図１３に示す防風パネル４Ａのように、各通風孔１１Ａを、有孔板部１２の厚み方向に対して斜めに設けてもよい。このように構成すると、通風孔１１Ａを通過させることで風の進行方向を斜めに変更することができる。
【００６２】
特に、有孔板部１２における上側半部に位置する通風孔１１Ａと、下側半部に位置する通風孔１１Ａとで傾斜方向を反対にすると、通風孔１１Ａを通過した後の風同士を衝突させることができ、風速の低減効果を一層高めることができる。
【００６３】
また、図１４に示す防風パネル４Ｂのように、通風孔１１Ｂを、有孔板部１２の厚み方向に対してテーパー状に設けてもよい。このように構成すると、通風孔１１Ｂを通過させることで渦流を生じさせ易くすることができる。これにより、通過後の風を弱めることができ、風速の低減効果を一層高めることができる。
【００６４】
また、防風パネル４を構成する有孔板部１２、上側リブ１３Ｕ、及び、下側リブ１３Ｄのサイズはあくまで例示である。また、通風孔１１の形状やサイズも所定の遮蔽率を実現できる範囲で変更することができる。
【符号の説明】
【００６５】
１…防風柵，２…基礎部，３…支柱，４…防風パネル，４Ａ…防風パネルの変形例，４Ｂ…防風パネルの変形例，１１…通風孔，１１Ａ…斜め方向の通風孔，１１Ｂ…テーパー形状の通風孔，１２…有孔板部，１３…リブ，１３Ｕ…上側リブ，１３Ｄ…下側リブ，２１…平打ち用の型枠，２１ａ…有底枠体，２１ｂ…突起部，２２…縦打ち用の型枠，２２Ａ…主空間部，２２Ｂ…副空間部，２２ａ…型枠本体，２２ｂ…突起部，３１…防風パネルを模擬した樹脂製の模型，３２…模型固定架台，３２ａ…取付け架台端板，Ｌ１…防風パネルの長辺側長さ，Ｌ２…防風パネルの短辺側長さ，Ｌ３…上側リブ及び下側リブの突出長さ，Ｄ１…有孔板部の厚さ，Ｄ２…上側リブ及び下側リブの厚さ，Ｐ１…通風孔同士の長辺方向の間隔，Ｐ２…通風孔同士の最短間隔，ＦＭ…モルタル材料，Ｘ１…模型上流５００ｍｍの位置，Ｘ２…模型下流５００ｍｍの位置，Ｘ３…模型下流１０００ｍｍの位置，Ｘ４…模型下流１５００ｍｍの位置
【図１】
2013256850.tif 000003
【図２】
2013256850.tif 000004
【図３】
2013256850.tif 000005
【図４】
2013256850.tif 000006
【図５】
2013256850.tif 000007
【図６】
2013256850.tif 000008
【図７】
2013256850.tif 000009
【図８】
2013256850.tif 000010
【図９】
2013256850.tif 000011
【図１０】
2013256850.tif 000012
【図１１】
2013256850.tif 000013
【図１２】
2013256850.tif 000014
【図１３】
2013256850.tif 000015
【図１４】
2013256850.tif 000016